(57)【要約】【課題】  隣り合う２つのマクラメの間に、種々異なる長さの間隔を効率よく設けることが可能な手芸用ゲージを提供する。【解決手段】  所定形状の周縁１０により囲まれた平板状のゲージＡ１０であって、周縁１０の一部により構成される基準縁２１と、各々が周縁１０の一部により構成される複数の規制縁２２と、を有し、各々の規制縁２２は、基準縁２１とは反対側を向いており、基準縁２１と各々の規制縁２２との間隔が互いに異なる。【選択図】  図１
2018194306.tif 000002
【特許請求の範囲】
【請求項１】
所定形状の周縁により囲まれた平板状の手芸用ゲージであって、
前記周縁の一部により構成される基準縁と、
各々が前記周縁の一部により構成される複数の規制縁と、を有し、
各々の前記規制縁は、前記基準縁とは反対側を向いており、
前記基準縁と各々の前記規制縁との間隔が互いに異なることを特徴とする、手芸用ゲージ。
【請求項２】
前記基準縁は、第１方向における一端に位置し、かつ前記第１方向に対して直交する第２方向に沿って延びており、
各々の前記規制縁は、前記第２方向に沿って延びている、請求項１に記載の手芸用ゲージ。
【請求項３】
前記基準縁を有する基部と、
前記第１方向において前記基準縁とは反対側に位置する前記基部の他端から、前記第１方向に沿って延びる柱部と、
前記柱部から前記第２方向に沿って延び、かつ前記第１方向において前記基部とは離間する腕部と、備え、
前記基準縁とは反対側を向く前記基部および前記腕部のそれぞれの端縁により、各々の前記規制縁が構成される、請求項２に記載の手芸用ゲージ。
【請求項４】
前記腕部を複数備え、
前記第２方向における前記柱部の両側に、各々の前記腕部がつながっている、請求項３に記載の手芸用ゲージ。
【請求項５】
前記基部は、一対の前記規制縁を有し、
一対の前記規制縁は、前記第２方向において前記柱部を挟んだ両側に位置する、請求項３または４に記載の手芸用ゲージ。
【発明の詳細な説明】
【技術分野】
【０００１】
本発明は、たとえばプラントハンガーなど複数のマクラメが設けられた手芸作品を作製する際に用いられる手芸用ゲージに関する。
【背景技術】
【０００２】
手芸作品の一つとして、プラントハンガーが従来知られている。プラントハンガーは、植木鉢を支持するネット状部と、家屋などの天井から当該ネット状部を吊り下げ支持するための吊り部とにより構成される。プラントハンガーにより、植木鉢を天井から吊し、観賞性を向上させることができる。プラントハンガーの作製にあたっては、束ねられた比較的太めの複数の糸が用いられる。束ねられた複数の糸には「マクラメ」と呼ばれる装飾性が高い結び目が形成される。たとえば特許文献１には、マクラメの作製方法の一例が開示されている。
【０００３】
プラントハンガーのような比較的大きな手芸作品において、束ねられた複数の糸にマクラメを形成する際は、隣り合う２つのマクラメの間に所定の長さの間隔を設ける場合がある。当該間隔は、手芸作品の装飾に応じて種々異なる長さが設定される。従来、隣り合う２つのマクラメの間に当該間隔を設けるためには、一方のマクラメが形成された複数の糸を、木製ボードなどに複数のピンで仮止めする手法が採られていた。複数の糸において、ピンにより仮止めされた区間を当該間隔として設定し、仮止めされていない自由状態の区間から他方のマクラメの形成を開始することによって、隣り合う２つのマクラメの間に当該間隔を設けることができる。当該間隔は、ピンの配置により種々異なる長さを設定することができる。しかし、このような手法では、当該間隔を設けるためにピンを何回もボードの所定の位置に配置する作業が必要となるため、効率性が低いという問題がある。
【先行技術文献】
【特許文献】
【０００４】
【特許文献１】特開２００３−３１３７６２号公報
【発明の概要】
【発明が解決しようとする課題】
【０００５】
本発明は上記事情に鑑み、隣り合う２つのマクラメの間に、種々異なる長さの間隔を効率よく設けることが可能な手芸用ゲージを提供することをその課題とする。
【課題を解決するための手段】
【０００６】
本発明によって提供される手芸用ゲージは、所定形状の周縁により囲まれた平板状の手芸用ゲージであって、前記周縁の一部により構成される基準縁と、各々が前記周縁の一部により構成される複数の規制縁と、を有し、各々の前記規制縁は、前記基準縁とは反対側を向いており、前記基準縁と各々の前記規制縁との間隔が互いに異なることを特徴としている。
【０００７】
本発明の実施において好ましくは、前記基準縁は、第１方向における一端に位置し、かつ前記第１方向に対して直交する第２方向に沿って延びており、各々の前記規制縁は、前記第２方向に沿って延びている。
【０００８】
本発明の実施において好ましくは、前記基準縁を有する基部と、前記第１方向において前記基準縁とは反対側に位置する前記基部の他端から、前記第１方向に沿って延びる柱部と、前記柱部から前記第２方向に沿って延び、かつ前記第１方向において前記基部とは離間する腕部と、備え、前記基準縁とは反対側を向く前記基部および前記腕部のそれぞれの端縁により、各々の前記規制縁が構成される。
【０００９】
本発明の実施において好ましくは、前記腕部を複数備え、前記第２方向における前記柱部の両側に、各々の前記腕部がつながっている。
【００１０】
本発明の実施において好ましくは、前記基部は、一対の前記規制縁を有し、一対の前記規制縁は、前記第２方向において前記柱部を挟んだ両側に位置する。
【発明の効果】
【００１１】
本発明にかかる手芸用ゲージは、所定形状の周縁により囲まれた平板状であり、当該周縁の一部により構成される基準縁および複数の規制縁を有する。各々の規制縁は、基準縁とは反対側を向いており、基準縁と各々の規制縁との間隔が互いに異なる。このような構成をとることによって、複数の糸が緩みなく張られた状態で、基準縁と選択された規制縁とに、隣り合う２つのマクラメの端部を接触させつつ、マクラメを形成することができる。これにより、基準縁と選択された規制縁との間隔に等しい間隔を、隣り合う２つのマクラメの間に効率よく設けることができる。したがって、本発明にかかる手芸用ゲージによれば、隣り合う２つのマクラメの間に、種々異なる長さの間隔を効率よく設けることが可能となる。
【００１２】
本発明のその他の特徴および利点は、添付図面に基づき以下に行う詳細な説明によって、より明らかとなろう。
【図面の簡単な説明】
【００１３】
【図１】本発明の第１実施形態にかかる手芸用ゲージの平面図である。
【図２】本発明の第１実施形態の変形例にかかる手芸用ゲージの平面図である。
【図３】図１に示す手芸用ゲージの使用状態を示す平面図である。
【図４】図１に示す手芸用ゲージの使用状態を示す平面図である。
【図５】本発明の第２実施形態にかかる手芸用ゲージの平面図である。
【図６】図５に示す手芸用ゲージの使用状態を示す平面図である。
【図７】図５に示す手芸用ゲージの使用状態を示す平面図である。
【発明を実施するための形態】
【００１４】
本発明を実施するための形態（以下「実施形態」という。）について、添付図面に基づいて説明する。
【００１５】
〔第１実施形態〕
図１〜図４に基づき、本発明の第１実施形態にかかるゲージＡ１０について説明する。図１に示すように、ゲージＡ１０は、所定形状の周縁１０により囲まれた平板状である。ゲージＡ１０は、たとえばＰＥＴ（ポリエチレンテレフタレート）などの合成樹脂から構成される。ゲージＡ１０の厚さは、たとえば１ｍｍである。ゲージＡ１０は、基部１１、柱部１２および腕部１３を備える。また、ゲージＡ１０は、周縁１０の一部により構成される基準縁２１と、各々が基準縁２１とは異なる周縁１０の一部により構成される複数の規制縁２２とを有する。ここで、図１〜図４において説明の便宜上、ゲージＡ１０の長手方向を第１方向ｘ１と呼び、第１方向ｘ１に直交し、かつゲージＡ１０の短手方向を第２方向ｘ２と呼ぶ。
【００１６】
図１に示すように、基部１１は、基準縁２１および規制縁２２を有する。基準縁２１は、第１方向ｘ１における基部１１の一端（図１に示す基部１１の下端）に位置する。基準縁２１は、第２方向ｘ２に沿って延びている。また、基部１１における規制縁２２は、基準縁２１とは反対側を向く基部１１の端縁（図１に示す基部１１の上端）により構成される。基部１１における規制縁２２は、第２方向ｘ２に沿って延びている。本実施形態では、基部１１は、一対の規制縁２２を有する。一対の規制縁２２は、第２方向ｘ２において柱部１２を挟んだ両側に位置する。各々の規制縁２２の長さは、ともに等しく、かつ基準縁２１の長さよりも短く設定されている。基部１１における一対の規制縁２２は、色塗りのラインにて表示されている。
【００１７】
図１に示すように、柱部１２は、第１方向ｘ１において基準縁２１とは反対側に位置する基部１１の他端（図１に示す基部１１の上端）から、第１方向ｘ１に沿って延びている。柱部１２の第２方向ｘ２における寸法は、基部１１の当該寸法よりも小である。柱部１２は、第２方向ｘ２において基部１１の中央に位置している。
【００１８】
図１に示すように、腕部１３は、柱部１２から第２方向ｘ２に沿って延びている。腕部１３は、第１方向ｘ１において基部１１とは離間している。本実施形態では、ゲージＡ１０は、腕部１３を複数備える。また、本実施形態では、第２方向ｘ２における柱部１２の両側に、各々の腕部１３がつながっている。各々の腕部１３は、規制縁２２を有する。各々の腕部１３における規制縁２２は、基準縁２１とは反対側を向く腕部１３の端縁（図１に示す腕部１３の上端）により構成される。各々の腕部１３における規制縁２２は、第２方向ｘ２に沿って延びるとともに、その長さがいずれも基部１１における一対の規制縁２２の長さに等しく、かつ色塗りのラインにて表示されている。なお、１つの腕部１３において、２つ以上の規制縁２２が構成されてもよい。
【００１９】
図１に示すように、腕部１３には、柱部１２につながる部分においてフィレット１３１が形成されている。フィレット１３１は、第１方向ｘ１において規制縁２２とは反対側に位置する。フィレット１３１の端縁は、円弧状である。
【００２０】
ゲージＡ１０では、図１に示すように、基準縁２１と各々の規制縁２２との間隔（第１方向ｘ１における距離）が互いに異なる。本実施形態では、基準縁２１と各々の規制縁２２との間隔は、たとえば１０ｃｍ，１１ｃｍ，１４ｃｍ，１５ｃｍ，１８ｃｍ、１９ｃｍの６種類に設定されている。各々の規制縁２２の近傍において、基準縁２１と当該規制縁２２との間隔の値（単位ｃｍ）が表示されている。
【００２１】
次に、図２に基づき、ゲージＡ１０の変形例であるゲージＡ１１について説明する。
【００２２】
図２に示すように、ゲージＡ１１では、基部１１における規制縁２２が１つのみとなっている。また、各々の腕部１３は、いずれも第２方向ｘ２における柱部１２の片側のみにつながり、かつ第１方向ｘ１において基部１１における規制縁２２に対向している。このため、本変形例では、すべての規制縁２２が、第２方向ｘ２における柱部１２の一方側に集約されている。本変形例では、基準縁２１と規制縁２２との間隔（第１方向ｘ１における距離）は、たとえば１１ｃｍ，１５ｃｍ，１９ｃｍの３種類に設定されている。
【００２３】
次に、図３および図４に基づき、ゲージＡ１０の使用方法について説明する。
【００２４】
まず、図３に示すように、複数の糸４に第１マクラメ４１を形成する。その後、第１マクラメ４１が形成された複数の糸４を、第１方向ｘ１に沿うようにゲージＡ１０の上面に配置し、かつ第１方向ｘ１における第１マクラメ４１の端部を、いずれか１つ選択された規制縁２２に接触させる。図３においては、１５ｃｍの値が表示された規制縁２２に第１マクラメ４１の端部が接触されている。この状態において、複数の糸４を第１方向ｘ１における基準縁２１側に引っ張る。このとき、第１マクラメ４１の位置は規制縁２２により規制され、複数の糸４は緩みなく第１方向ｘ１に沿って張られた状態となる。なお、腕部１３には、規制縁２２とは反対側を向くフィレット１３１が形成されているため、複数の糸４を引っ張ったとき、腕部１３に第１方向ｘ１の変位が生じることを、より効果的に抑止できる。そして、張られた複数の糸４を、ゲージＡ１０の基部１１にクリップ５で仮止めする。
【００２５】
次いで、図４に示すように、複数の糸４において、ゲージＡ１０の基準縁２１に交差する位置から第１マクラメ４１に隣り合う第２マクラメ４２の形成を開始する。このとき、第１方向ｘ１において第１マクラメ４１に対向する第２マクラメ４２の端部を、基準縁２１に接触させる。これにより、隣り合う第１マクラメ４１と第２マクラメ４２との間隔（マクラメが形成されていない複数の糸４の長さ）は、所定の値（図４においては１５ｃｍ）となる。以上より、ゲージＡ１０を用いることによって、隣り合う第１マクラメ４１と第２マクラメ４２との間に所定の間隔を複数の糸４に設けることができる。
【００２６】
次に、ゲージＡ１０の作用効果について説明する。
【００２７】
ゲージＡ１０は、所定形状の周縁１０の一部により構成される基準縁２１と、各々が周縁１０の一部により構成される複数の規制縁２２とを有する。各々の規制縁２２は、基準縁２１とは反対側を向いており、基準縁２１と各々の規制縁２２との間隔が互いに異なる。このような構成をとることによって、図３および図４に示すように、複数の糸４が緩みなく張られた状態で、基準縁２１と選択された規制縁２２とに、隣り合う２つのマクラメ（第１マクラメ４１および第２マクラメ４２）の端部を接触させることができる。これにより、基準縁２１と選択された規制縁２２との間隔に等しい間隔を、隣り合う２つのマクラメの間に効率よく設けることができる。また、隣り合う２つのマクラメの間隔は、選択された規制縁２２に応じて種々異なる長さをとることができる。したがって、ゲージＡ１０によれば、隣り合う２つのマクラメの間に、種々異なる長さの間隔を効率よく設けることが可能となる。
【００２８】
ゲージＡ１０は、基準縁２１を有する基部１１と、基部１１から第１方向ｘ１に沿って延びる柱部１２と、柱部１２から第２方向ｘ２に沿って延び、かつ第１方向ｘ１において基部１１とは離間する腕部１３とを備える。複数の規制縁２２は、基準縁２１とは反対側を向く基部１１および腕部１３のそれぞれの端縁により構成されている。このような構成をとることによって、互いに間隔が異なる基準縁２１および複数の規制縁２２が設定されたゲージＡ１０を、よりコンパクトな形状とすることができる。
【００２９】
ゲージＡ１０において、第２方向ｘ２における柱部１２の両側に、腕部１３を複数つなげることによって、ゲージＡ１０により多くの規制縁２２を設定することができる。このため、ゲージＡ１０により、隣り合う２つのマクラメの間に設けられる間隔の長さの種類が増加する。また、ゲージＡ１０において、第２方向ｘ２において柱部１２を挟んだ両側に位置する一対の規制縁２２を基部１１に設けることによって、ゲージＡ１０にさらに多くの規制縁２２を設定することができる。
【００３０】
〔第２実施形態〕
図５〜図７に基づき、本発明の第２実施形態にかかるゲージＡ２０について説明する。図５に示すように、ゲージＡ２０は、所定形状の周縁３０により囲まれた平板状である。ゲージＡ２０を構成する材料およびゲージＡ２０の厚さは、ゲージＡ１０のそれらと同一である。ゲージＡ２０は、主板３を備えており、主板３が所定形状の周縁３０を有する。また、ゲージＡ２０は、先述したゲージＡ１０と同様に、周縁３０の一部により構成される基準縁２１と、各々が基準縁２１とは異なる周縁３０の一部により構成される複数の規制縁２２とを有する。ここで、図５〜図７において説明の便宜上、図５に示す点Ｃを中心とする円の半径方向を径方向ｒと呼び、当該円の円周方向を周方向θと呼ぶ。
【００３１】
図５に示すように、周縁３０は、内周縁３０１および外周縁３０２をその一部に含む。内周縁３０１は、径方向ｒにおいて主板３の内側に位置する。内周縁３０１は、周方向θにおいて連続した円弧状である。図５に示す点Ｃを中心とした内周縁３０１の曲率半径は、所定の値をとる。基準縁２１は、内周縁３０１により構成される。このため、基準縁２１は、周方向θに沿って延び、かつその曲率半径が所定の値となる。
【００３２】
図５に示すように、外周縁３０２は、径方向ｒにおいて主板３の外側に位置する。外周縁３０２は、径方向ｒにおいて内周縁３０１とは反対側を向く。外周縁３０２は、周方向θにおいて不連続な円弧状であり、かつ複数の区間（本実施形態では４つの区間）に分割されている。図５に示す点Ｃを中心とした外周縁３０２の各区間の曲率半径は、互いに異なる値をとり、かつ内周縁３０１の曲率半径よりもいずれも大である。また、主板３において、隣接する外周縁３０２の区間の境界には、径方向ｒに沿った段差が形成されている。複数の規制縁２２は、外周縁３０２により構成される。このため、各々の規制縁２２は、周方向θに沿って延び、かつその曲率半径が互いに異なる。主板３における各々の規制縁２２は、その長さがいずれも等しく、かついずれも色塗りのラインにて表示されている。また、基準縁２１と、周方向θにおける各々の規制縁２２の中央との間には、径方向ｒに沿ったガイド線２３（図５に示す一点鎖線）が表示されている。
【００３３】
ゲージＡ２０では、図５に示すように、基準縁２１と各々の規制縁２２との間隔（径方向ｒにおける距離でありガイド線２３の長さ）が互いに異なる。本実施形態では、基準縁２１と各々の規制縁２２との間隔は、たとえば７ｃｍ，９ｃｍ，１１ｃｍ，１３ｃｍの４種類に設定されている。このため、基準縁２１と規制縁２２との間隔が長くなるほど、規制縁２２の曲率半径が大となる。各々の規制縁２２の近傍において、基準縁２１と当該規制縁２２との間隔の値（単位ｃｍ）が表示されている。
【００３４】
次に、図６および図７に基づき、ゲージＡ２０の使用方法について説明する。
【００３５】
まず、図６に示すように、複数の糸４に第１マクラメ４１を形成する。その後、第１マクラメ４１が形成された複数の糸４を、いずれか１つ選択されたガイド線２３に沿うように配置し、かつ径方向ｒにおける第１マクラメ４１の端部を、複数の糸４が配置されたガイド線２３に対応する規制縁２２に接触させる。このため、ガイド線２３は、第１マクラメ４１の端部を規制縁２２に接触さえた状態で、複数の糸４が径方向ｒに沿って配置されるために利用される。図６においては、１１ｃｍの値が表示された規制縁２２に第１マクラメ４１の端部が接触されている。この状態において、複数の糸４を径方向ｒにおける基準縁２１側に引っ張る。このとき、第１マクラメ４１の位置は規制縁２２により規制され、複数の糸４は緩みなくガイド線２３に沿って張られた状態となる。そして、張られた複数の糸４を、基準縁２１の近傍に位置する主板３にクリップ５で仮止めする。
【００３６】
次いで、図７に示すように、複数の糸４において、ゲージＡ２０の基準縁２１に交差する位置から第１マクラメ４１に隣り合う第２マクラメ４２の形成を開始する。このとき、径方向ｒにおいて第１マクラメ４１に対向する第２マクラメ４２の端部を、基準縁２１に接触させる。これにより、第１マクラメ４１と第２マクラメ４２との間隔（マクラメが形成されていない複数の糸４の長さ）は、所定の値（図７においては１１ｃｍ）となる。以上より、ゲージＡ２０を用いることによって、隣り合う第１マクラメ４１と第２マクラメ４２との間に所定の間隔を複数の糸４に設けることができる。
【００３７】
次に、ゲージＡ２０の作用効果について説明する。
【００３８】
ゲージＡ２０は、所定形状の周縁３０の一部により構成される基準縁２１と、各々が周縁３０の一部により構成される複数の規制縁２２とを有する。各々の規制縁２２は、基準縁２１とは反対側を向いており、基準縁２１と各々の規制縁２２との間隔が互いに異なる。このような構成をとることによって、図６および図７に示すように、基準縁２１と選択された規制縁２２との間隔に等しい間隔を、隣り合う２つのマクラメ（第１マクラメ４１および第２マクラメ４２）の間に効率よく設けることができる。また、隣り合う２つのマクラメの間隔は、選択された規制縁２２に応じて種々異なる長さをとることができる。したがって、ゲージＡ２０によっても、隣り合う２つのマクラメの間に、種々異なる長さの間隔を効率よく設けることが可能となる。
【００３９】
ゲージＡ２０は、周縁３０の一部である内周縁３０１および外周縁３０２を有する扇形状の主板３を備える。内周縁３０１により基準縁２１が構成され、かつ外周縁３０２により複数の規制縁２２が構成されることによって、基準縁２１および複数の規制縁２２を主板３に設定することができる。また、図５に示す点Ｃを中心とした外周縁３０２の曲率半径を適宜変更することによって、互いに異なる基準縁２１と複数の規制縁２２との間隔を設定することができる。なお、当該間隔は、種々異なる長さを設定することができる。
【００４０】
ゲージＡ１０において、腕部１３の数や配置は、本実施形態に限定されない。また、ゲージＡ１０およびゲージＡ２０において、基準縁２１と複数の規制縁２２との間隔は、本実施形態で示した値以外にも種々選択することが可能である。
【００４１】
本発明は、プラントハンガー以外に、所定の間隔が設けられた複数のマクラメを形成する様々な手芸に対して適用することができる。
【００４２】
本発明は、先述した実施形態に限定されるものではない。本発明の各部の具体的な構成は、種々に設計変更自在である。
【符号の説明】
【００４３】
Ａ１０，Ａ１１，Ａ２０：ゲージ
１０：周縁
１１：基部
１２：柱部
１３：腕部
１３１：フィレット
２１：基準縁
２２：規制縁
２３：ガイド線
３：主板
３０：周縁
３０１：内周縁
３０２：外周縁
４：糸
４１：第１マクラメ
４２：第２マクラメ
５：クリップ
Ｃ：中心
ｘ１：第１方向
ｘ２：第２方向
ｒ：径方向
θ：周方向
【図１】
2018194306.tif 000003
【図２】
2018194306.tif 000004
【図３】
2018194306.tif 000005
【図４】
2018194306.tif 000006
【図５】
2018194306.tif 000007
【図６】
2018194306.tif 000008
【図７】
2018194306.tif 000009